(57)【要約】【課題】データ記憶の可能な小型軽量のスタイラスペンおよびこのスタイラスペンを利用する情報処理装置を実現する。【解決手段】スタイラスペン１は、データを電気的に書換え可能に記憶する記憶手段１１と、記憶手段１１におけるデータの書換えを制御する制御手段１２と、データの外部通信のための通信インタフェース１３と、記憶手段１１および制御手段１２に外部から電源を供給する電源インタフェース１４と、を備える。【選択図】　　　図１
2004078658.tif 000002
【特許請求の範囲】
【請求項１】
データを電気的に書換え可能に記憶する記憶手段と、
該記憶手段における前記データの書換えを制御する制御手段と、
前記データの外部通信のための通信インタフェースと、
前記記憶手段および前記制御手段に外部から電源を供給する電源インタフェースと、を備えることを特徴とするスタイラスペン。
【請求項２】
前記スタイラスペンが情報処理装置に格納されていないときに前記電源インタフェースおよび前記通信インタフェースを外部から遮断する保護カバーをさらに備える請求項１に記載のスタイラスペン。
【請求項３】
前記データの外部通信を制御する通信ドライバをさらに備える請求項１または２に記載のスタイラスペン。
【請求項４】
請求項１〜３のいずれか一項に記載のスタイラスペンを格納する格納手段と、
該格納手段に前記スタイラスペンが格納されているときに、前記スタイラスペンに電源を供給する格納側電源インタフェースと、
前記格納手段に前記スタイラスペンが格納されているときに、前記スタイラスペンとデータを通信する格納側通信インタフェースと、を備える情報処理装置。
【発明の詳細な説明】
【０００１】
【発明の属する技術分野】
本発明は、ＰＤＡあるいはノート型コンピュータ等の情報処理装置の入力手段として用いられるスタイラスペンおよびこのスタイラスペンを利用する情報処理装置に関する。
【０００２】
【従来の技術】
近年、ＰＤＡ（Ｐｅｒｓｏｎａｌ　Ｄｉｇｉｔａｌ　Ａｓｓｉｓｔａｎｔｓ）と呼ばれる個人向けの情報管理ツールや、ハンドヘルドコンピュータなどのような情報携帯端末が広く利用されている。
【０００３】
このうちＰＤＡは、住所録、スケジュール管理およびメモ帳のようなＰＩＭ機能、ならびにコンピュータネットワーク等と接続するコミュニケーション機能を有している。また、ＰＤＡは、携帯性を重視して手のひらにほぼ収まるサイズを有しており、液晶表示手段、入力手段、外部データ利用手段、駆動用のバッテリ（電池）などを備える。
【０００４】
一方、ハンドヘルドコンピュータは、通常のコンピュータをより一層小型軽量化させたものであり、通常のコンピュータの機能のほかに、上述のＰＤＡと同様の機能を有するものが多い。
【０００５】
このようなＰＤＡやハンドヘルドコンピュータのような情報携帯端末は、小型軽量化が要求されることから、キーボードではなく、タッチパネル式の液晶スクリーンにスタイラスペンを当てて操作する場合が多い。
【０００６】
スタイラスペンは、一般のペンとは異なりインクは有さず、その先端部にはタッチパネルを傷つけないようにゴムもしくは柔らかいプラスチックからなるペン先を備えている。ＰＤＡやハンドヘルドコンピュータ等の情報携帯端末本体に備えられた液晶スクリーンには、感圧センサーなどが備えられており、液晶スクリーン上をスタイラスペンでなぞったり、つついたりすることで（タップ／ダブルタップと呼ばれる）、一般的なコンピュータにおけるマウスと同様の操作が行なえる。
【０００７】
ＰＤＡやハンドヘルドコンピュータ等の情報携帯端末では、コンピュータ、プリンタ、ディジタルカメラ、イメージスキャナなどの外部の情報処理装置との間でデータの共有が可能である。例えば、ＰＤＡで作成したスケジュールに関するデータを外部のコンピュータで利用したり、ディジタルカメラで撮影した画像をＰＤＡに表示させるなど、その利用方法は実に多様である。
【０００８】
【発明が解決しようとする課題】
ＰＤＡやハンドヘルドコンピュータ等の情報携帯端末と外部の情報処理装置との間のデータ共有は、赤外線インタフェースもしくはＵＳＢケーブル等を介した通信により実現する場合と、スマートメディア、コンパクトフラッシュ（登録商標）、ＳＤカードもしくはメモリスティックなどの外部記憶メディアにデータを一旦記憶させ、ユーザがこの外部記憶メディアを持ち運んでデータを移し変えることで実現する場合とがある。
【０００９】
しかしながら、特にＰＤＡに関しては、外部記憶メディアは、外部の情報処理装置とのデータ共有のために利用されるよりは、ＰＤＡの内蔵メモリの容量の少なさを補うための拡張メモリとして利用される場合が多い。つまり、外部記憶メディアは、頻繁にＰＤＡ本体から抜き差しされるよりは、長期間にわたってＰＤＡ本体に挿入されたままであることが多い。したがって、拡張メモリと、データ共有のためのメモリとを別々に設けた方が便利であるといえる。
【００１０】
このようなことから、従来、スタイラスペン内部に、記憶メモリとこれを含む内部回路を動作させる電源とを設け、スタイラスペンそのものに上述の外部記憶メディアのようなデータ記憶機能を持たせたものも実現されている。
【００１１】
スタイラスペンは、一般的に情報処理端末の本体内に格納可能であるので、小型軽量であることが好ましい。しかし、電源をスタイラスペンの内部に設けることは、スタイラスペンの構造を複雑化するとともに、スタイラスペンの小型軽量化に逆行し、スタイラスペンを格納する情報処理端末本体をも大型化してしまいかねない。また、スタイラスペンの形状やサイズに合わせて超小型の電源を実現して組み込んだとしても、十分な出力電力や寿命を得ることは難しい。
【００１２】
従って本発明の目的は、上記問題に鑑み、データ記憶の可能な小型軽量のスタイラスペンおよびこのスタイラスペンを利用する情報処理装置を提供することにある。
【００１３】
【課題を解決するための手段】
上記目的を実現するために、本発明においては、スタイラスペンは、その内部にデータを電気的に書換え可能に記憶する不揮発性メモリなどの記憶手段と、記憶手段におけるデータの書換えを制御するＣＰＵなどの制御手段とを備え、これら各手段の駆動のための電源を、スタイラスペンが情報処理装置に格納されているときに電源用のインタフェースを介してこの情報処理装置から供給する。また、本発明においては、スタイラスペンおよび情報処理装置は、上述の電源用インタフェースの他に、スタイラスペンが情報処理装置に格納されているときにスタイラスペンと情報処理装置との間でデータ通信するためのインタフェースを備える。
【００１４】
図１は、本発明によるスタイラスペンの基本ブロック図である。
【００１５】
本発明によるスタイラスペン１は、データを電気的に書換え可能に記憶する記憶手段１１と、記憶手段１１におけるデータの書換えを制御する制御手段１２と、データの外部通信のための通信インタフェース１３と、記憶手段１１および制御手段１２に外部から電源を供給する電源インタフェース１４と、を備える。
【００１６】
図２は、本発明による情報処理装置の基本ブロック図である。
【００１７】
本発明による情報処理装置２は、上述のスタイラスペン１を格納する格納手段２１と、格納手段２１にスタイラスペン１が格納されているときに、スタイラスペン１に電源を供給する格納側電源インタフェース２２と、格納手段２１にスタイラスペン１が格納されているときに、スタイラスペン１とデータを通信する格納側通信インタフェース２３と、を備える。
【００１８】
スタイラスペン１を格納手段２１に格納した情報処理装置２は、内部の電源手段２４から、格納側電源インタフェース２２とスタイラスペン１の電源インタフェース１４とを介して、スタイラスペン１に電源を供給する。
【００１９】
また、スタイラスペン１を格納手段２１に格納した情報処理装置２は、格納側通信インタフェース２３とスタイラスペンの通信インタフェース１３とを介して、スタイラスペン１との間でデータ通信をすることができる。
【００２０】
本発明によれば、データを電気的に書換え可能に記憶する記憶手段と記憶手段におけるデータの書換えを制御する制御手段とを備えるスタイラスペンは、スタイラスペンが情報処理装置に格納されている間に電源が供給されるので、内部に独立電源を持つ必要がなく、スタイラスペンの構造が容易であり、小型軽量化が可能である。
【００２１】
また、情報処理装置が本発明のスタイラスペンを格納する手段およびインタフェースを備えれば、各種情報処理装置間でデータをスタイラスペンを介して容易に共有することができる。
【００２２】
【発明の実施の形態】
図３は、本発明の実施例によるスタイラスペンにおける電源インタフェースおよび通信インタフェースを示す概略図である。
【００２３】
本実施例によるスタイラスペン１は、図示するように、電源インタフェースとして導電性部材からなる電源端子３１と、通信インタフェースとして導電性部材からなる通信端子３２とをスタイラスペン１の側面の一部分に備える。スタイラスペン１の本体は、プラスチック等の非導電性部材からなる。スタイラスペン１の先端には、通常のスタイラスペンと同様に、ゴムもしくは柔らかいプラスチックからなるペン先３３が設けられる。
【００２４】
スタイラスペン１の電源端子３１および通信端子３２は、スタイラスペン１が格納される情報処理機器（図示せず）に設けられる格納側電源インタフェースおよび格納側通信インタフェースの形状および設置位置に合わせて、適切な形状を有しかつ適切な位置に設けられる。
【００２５】
なお、スタイラスペン１の電源端子３１および通信端子３２の形状および設置位置は本発明を限定するものではなく、スタイラスペン１が情報処理機器に格納されているときに電源供給可能およびデータ通信可能であればどのようなものであってもよい。例えば、本実施例のように、導電性部材からなる電源インタフェースおよび通信インタフェースを用いる場合は、情報処理機器に設けられる格納側電源インタフェースおよび格納側通信インタフェースは、スタイラスペンが情報処理装置に格納されているときにそれぞれ電気的に接触するような形状および位置で実現される。
【００２６】
また、通信インタフェースおよび格納側通信インタフェースを赤外線インタフェースもしくは無線インタフェースなどの非接触型インタフェースで実現する場合は、スタイラスペンが情報処理装置に格納されているときに通信インタフェースと格納側通信インタフェースとが通信可能な近傍になるような形状および位置で実現すればよい。
【００２７】
また、電源インタフェースおよび格納側電源インタフェースとして電磁結合により電源供給を実現する場合は、スタイラスペンが情報処理装置に格納されているときに電源インタフェースと格納側電源インタフェースとが電磁結合可能となるような形状および位置で実現すればよい。
【００２８】
スタイラスペン１の内部に設けられる記憶手段（図示せず）は、データを電気的に書換え可能に記憶する不揮発性メモリで実現される。
【００２９】
記憶手段とともに電源手段がスタイラスペン内に設けられる従来例では、記憶手段に電源が常に供給されているので、記憶手段は揮発性メモリでかまわない。これに対し、本発明では、スタイラスペンがＰＤＡなどの情報処理装置に格納されているときのみ格納元の情報処理装置からスタイラスペンの内部回路に電源が供給され、スタイラスペンが情報処理装置に格納されていないときは電源は供給されない。したがって、本発明においては、記憶手段は、電源が供給されないときにもデータを保持することができる電気的に書換え可能な不揮発性メモリで実現する。
【００３０】
スタイラスペン１の内部に設けられる制御手段（図示せず）は、記憶手段におけるデータの書換えやデータ通信を制御するＩＣチップなどで実現される。
【００３１】
スタイラスペン１内の記憶手段および制御手段には、スタイラスペン１が情報処理装置２に格納されたとき、情報処理手段２内部の電源手段２４から、格納側電源インタフェース２２とスタイラスペン１の電源インタフェース１４とを介して電源が供給される。
【００３２】
図４は、本発明の実施例による、保護カバーを有するスタイラスペンを示す図（その１）であって、（ａ）は側面図、（ｂ）は断面図である。また、図５は、本発明の実施例による、保護カバーを有するスタイラスペンを示す図（その２）であって、（ａ）は側面図、（ｂ）は断面図である。
【００３３】
上述のような導電性部材からなる電源端子３１および通信端子３２は、人体が接触すると、端子表面が汚れたり酸化し易くなり、この結果、スタイラスペンのインタフェースと情報処理装置のインタフェースとの間で接触不良が生じてしまう可能性がある。このことから、通信インタフェースおよび電源インタフェースをともに接触型のインタフェースで実現する場合は、スタイラスペンが情報処理装置に格納されていないときは、電源端子３１および通信端子３２を外部から遮断する保護カバーをさらに備えるのが好ましい。なお、通信インタフェースおよび電源インタフェースをともに非接触型のインタフェースで実現する場合は、上記のような可動式の保護カバーを特に設ける必要はない。
【００３４】
図４は、情報処理装置に格納されていないときのスタイラスペンを示している。保護カバー４１は、スプリング４２の反発力によってスタイラスペンの長軸方向外方に力がかかっており、したがって、情報処理装置が格納されていないときは、保護カバー４１によって電源端子３１および通信端子３２は覆われる構造である。
【００３５】
なお、スタイラスペン１には、情報処理装置に格納した際、情報処理装置に設けられたガイド（図示せず）に嵌通するレール４３と、スタイラスペン１を情報処理装置内に固定する固定溝４４とが備えられる。
【００３６】
図５は、情報処理装置に格納されたときのスタイラスペンを示している。情報処理装置２には、カバープッシュピン５１が備えられており、スタイラスペン１を情報処理装置２に格納すると、カバープッシュピン５１はスプリング４２の反発力とは逆向きの方向に力をかけて保護カバー４１を押し開き、電源端子３１および通信端子３２とを露出させる。これにより、スタイラスペン１の電源端子３１および通信端子３２は、格納側電源インタフェース５２および格納側通信インタフェース５３にそれぞれ接触する。格納側電源インタフェース５２および格納側通信インタフェース５３は導電性部材からなり、同じく導電性部材からなる電源端子３１および通信端子３２と接触すると、それぞれ電気的に導通する。なお、保護カバー４１に取り付けられたスプリング４２の反発力によってスタイラスペン１が情報処理装置２の外に押し戻されることを防ぐために、情報処理装置２には、スタイラスペン１が情報処理装置２に格納されたときにスタイラスペン１の固定溝４４に嵌合してスタイラスペン１を情報処理装置２内に固定するペン固定ピン５２が設けられる。
【００３７】
以上説明した実施例では、スタイラスペンの通信端子および情報処理装置の格納側通信インタフェースをともに導電性部材で構成して電気的に接触させ、データ通信可能としたが、非接触インタフェースを用いてデータ通信を実現してもよい。非接触インタフェースの例として、赤外線インタフェース、光インタフェース、あるいは無線インタフェースなどがある。
【００３８】
図６は、本発明の変形例における赤外線インタフェースを有するスタイラスペンを示す側面図である。また、図７は、本発明の変形例における赤外線インタフェースを有するスタイラスペンのブロック図であり、図８は、本発明の変形例における赤外線インタフェースを有する情報処理装置のブロック図である。
【００３９】
本変形例では、スタイラスペン１は、通信用インタフェースとして赤外線通信端子４５を備える。赤外線通信端子４５は、赤外線ＬＥＤ４５ａと受光素子４５ｂを含む。また、図７に示すように、赤外線通信端子４５は、通信ドライバ４６に接続され、この通信ドライバ４６によってデータの外部通信処理が制御される。通信ドライバ４６への電源は、記憶手段１１および制御手段１２の場合と同様に電源端子３１を介して外部から供給される。なお、通信ドライバ４６の機能を制御手段１２内に実現してもよい。
【００４０】
また、本変形例では、図８に示すように、情報処理装置２がＰＤＡである場合を示しているが、スタイラスペン１の赤外線通信端子４５に対応させて、格納側通信インタフェース２３は同じく赤外線インタフェースとする。
【００４１】
次に、本発明のスタイラスペンを格納する情報処理装置の実施例について説明する。
【００４２】
スタイラスペンを格納する情報処理装置の最も代表的な例はＰＤＡであるが、その他の情報処理機器であってもよい。情報処理装置は、上述したように、スタイラスペンを格納する格納手段と、格納手段にスタイラスペンが格納されているときに、スタイラスペンに電源を供給する格納側電源インタフェースと、格納手段にスタイラスペンが格納されているときに、スタイラスペンとデータを通信する格納側通信インタフェースと、を備える。
【００４３】
図９は、本発明のスタイラスペンを格納する情報処理装置の第１の実施例の概念図である。
【００４４】
本実施例では、スタイラスペン１を格納する情報処理装置２として、ノート型コンピュータを例示している。スタイラスペン１がノート型コンピュータ２に格納されると、ノート型コンピュータ２内のＰＣホストより電源が供給され、かつインタフェース接続が実現される。スタイラスペン１の記憶手段（図示せず）にデータを記憶して持ち運べば、ノート型コンピュータ２で利用したり、ノート型コンピュータ２で作成したデータをＰＤＡなどその他の情報処理装置で利用することが可能である。なお、図示はしないが、ノート型コンピュータではなくデスクトップ型コンピュータであってもよく、この場合、コンピュータ本体、コンピュータに接続されたキーボードその他の周辺機器に、スタイラスペンを格納する格納手段を実現すればよい。
【００４５】
図１０は、本発明のスタイラスペンを格納する情報処理装置の第２の実施例の概念図である。
【００４６】
本実施例では、スタイラスペン１を格納する情報処理装置２として、プリンタを例示している。スタイラスペン１がプリンタ２に格納されると、プリンタ２内のプリンタホストより電源が供給され、かつインタフェース接続が実現される。スタイラスペン１の記憶手段（図示せず）に記憶されたデータを、スタイラスペン１に格納することによってプリンタ２にロードすれば、容易にプリントアウトすることができる。
【００４７】
図１１は、本発明のスタイラスペンを格納する情報処理装置の第３の実施例の概念図である。
【００４８】
本実施例では、スタイラスペン１を格納する情報処理装置２として、イメージスキャナを例示している。スタイラスペン１がイメージスキャナ２に格納されると、イメージスキャナ２内のスキャナホストより電源が供給され、かつインタフェース接続が実現される。イメージスキャナで取り込んだ画像データを、スタイラスペン１をイメージスキャナ２に格納してスタイラスペン１の記憶手段（図示せず）に記憶させ、そしてこのスタイラスペンを他の情報処理装置に格納すれば、容易に画像データを移動させることができる。例えば、画像データを記憶したスタイラスペンをＰＤＡに格納してＰＤＡ内のメモリにロードすれば、ＰＤＡのディスプレイ画面上に画像を表示可能であり、あるいは、画像データを記憶したスタイラスペンをプリンタに格納してプリンタ内のメモリにロードすれば、プリントアウトも可能である。
【００４９】
図１２は、本発明のスタイラスペンを格納する情報処理装置の第４の実施例の概念図である。
【００５０】
本実施例では、スタイラスペン１を格納する情報処理装置２として、携帯電話を例示している。スタイラスペン１が携帯電話２に格納されると、携帯電話２内のホストより電源が供給され、かつインタフェース接続が実現される。例えば、イメージスキャナで取り込んだり、もしくは、コンピュータ等で加工処理した画像データをスタイラスペン１を経由して携帯電話にロードすれば、この画像データを電子メールに添付して送信することも可能であり、また、画像が添付された電子メールを携帯電話２で受信したとき、この画像データをスタイラスペン１の記憶手段（図示せず）に記憶させ、携帯電話２から他の情報処理装置に移動させることも可能である。また、画像データをスタイラスペン１を介して携帯電話に取り込み、この画像を携帯電話の待ち受け画面とすることも容易である。
【００５１】
図１３は、本発明のスタイラスペンを格納する情報処理装置の第５の実施例の概念図である。
【００５２】
本実施例では、スタイラスペン１を格納する情報処理装置２として、ディジタルカメラを例示している。スタイラスペン１がディジタルカメラ２に格納されると、ディジタルカメラ２より電源が供給され、かつインタフェース接続が実現される。ディジタルカメラ２で撮影した画像データを、スタイラスペン１の記憶手段（図示せず）に記憶させ、そしてこのスタイラスペンを他の情報処理装置に格納すれば、画像データを移動させることが可能である。
【００５３】
図１４は、本発明のスタイラスペンを格納する情報処理装置の第６の実施例の概念図である。
【００５４】
本実施例は、スタイラスペン１内の記憶手段に対し、データの読出しおよび書込み処理をするリーダライタ２を例示している。スタイラスペン１がリーダライタ２に格納されると、リーダライタ２の内部回路より電源が供給され、かつインタフェース接続が実現される。このリーダライタ２は、例えばＵＳＢインタフェースを介して、コンピュータ、プリンタ、イメージスキャナ、ディジタルカメラもしくは携帯電話などの他の情報処理装置に接続することができる。すなわち、本発明によるスタイラスペンを格納する格納手段を情報処理装置内に設けなくても、このリーダライタ２をＵＳＢインタフェースを介して接続すれば、スタイラスペン１内の記憶手段へのデータの読出しおよび書込みが容易に可能である。
【００５５】
なお、上記各実施例の各情報処理装置には、スタイラスペンとデータ通信を行う通信ドライバを予めインストールしておく。
【００５６】
以上説明したように、本実施例によれば、スタイラスペンを介して種々の情報処理装置間でデータ共有が可能であり、このときのスタイラスペンは電源を内部に持たないので構造容易で小型軽量である。
【００５７】
【発明の効果】
以上説明したように、本発明によれば、データを電気的に書換え可能に記憶する記憶手段と記憶手段におけるデータの書換えを制御する制御手段とを備えるスタイラスペンは、スタイラスペンが情報処理装置に格納されている間に電源が供給されるので、内部に独立電源を持つ必要がなく、スタイラスペンの構造が容易であり、小型軽量化が可能である。
【００５８】
また、例えばＰＤＡ、ハンドヘルドコンピュータ、ノート型コンピュータ、デスクトップ型コンピュータ、プリンタ、イメージスキャナ、ディジタルカメラ、携帯電話などの各種情報処理装置に、本発明のスタイラスペンを格納する手段およびインタフェースを備えれば、各種情報処理装置間でデータをスタイラスペンを介して容易に共有することができる。
【００５９】
例えば、本発明によるスタイラスペンを用いれば、ＰＤＡもしくはハンドヘルドコンピュータで作成したデータをコンピュータに移動させたり、またその逆も容易に可能である。
【００６０】
あるいは例えば、イメージスキャナで取り込んだり、ディジタルカメラで撮影したり、もしくは、コンピュータ等で加工処理した画像データを、本発明によるスタイラスペンに記憶させ、プリンタに移せば容易にプリントアウトすることができ、また、携帯電話に移せばこの画像データを電子メールに添付して送信することも可能である。もしくは、画像データをスタイラスペンを介して携帯電話に取り込み、この画像を携帯電話の待ち受け画面とすることも可能である。また、画像が添付された電子メールを携帯電話で受信したとき、この画像データをスタイラスペンに記憶させれば、他の情報処理装置に移動させることも可能である。
【００６１】
また、本発明によるスタイラスペン内の記憶手段に対し、データの読出しおよび書込み処理をするリーダライタを、例えばＵＳＢインタフェースなどを介して接続すれば、スタイラスペンを格納する格納手段を持たない従来の情報処理装置に対しても、本発明を適用することができる。
【図面の簡単な説明】
【図１】本発明によるスタイラスペンの基本ブロック図である。
【図２】本発明による情報処理装置の基本ブロック図である。
【図３】本発明の実施例によるスタイラスペンにおける電源インタフェースおよび通信インタフェースを示す概略図である。
【図４】本発明の実施例による、保護カバーを有するスタイラスペンを示す図（その１）であって、（ａ）は側面図、（ｂ）は断面図である。
【図５】本発明の実施例による、保護カバーを有するスタイラスペンを示す図（その２）であって、（ａ）は側面図、（ｂ）は断面図である。
【図６】本発明の変形例における赤外線インタフェースを有するスタイラスペンを示す側面図である。
【図７】本発明の変形例における赤外線インタフェースを有するスタイラスペンのブロック図である。
【図８】本発明の変形例における赤外線インタフェースを有する情報処理装置のブロック図である。
【図９】本発明のスタイラスペンを格納する情報処理装置の第１の実施例の概念図である。
【図１０】本発明のスタイラスペンを格納する情報処理装置の第２の実施例の概念図である。
【図１１】本発明のスタイラスペンを格納する情報処理装置の第３の実施例の概念図である。
【図１２】本発明のスタイラスペンを格納する情報処理装置の第４の実施例の概念図である。
【図１３】本発明のスタイラスペンを格納する情報処理装置の第５の実施例の概念図である。
【図１４】本発明のスタイラスペンを格納する情報処理装置の第６の実施例の概念図である。
【符号の説明】
１…スタイラスペン
２…情報処理装置
１１…記憶手段
１２…制御手段
１３…通信インタフェース
１４…電源インタフェース
２１…格納手段
２２、５２…格納側電源インタフェース
２３、５３…格納側通信インタフェース
３１…電源端子
３２…通信端子
３３…ペン先
４１…保護カバー
４２…スプリング
４３…レール
４４…固定溝
４５…赤外線通信端子
４５ａ…赤外線ＬＥＤ
４５ｂ…受光素子
５１…カバープッシュピン
【図１】
2004078658.tif 000003
【図２】
2004078658.tif 000004
【図３】
2004078658.tif 000005
【図４】
2004078658.tif 000006
【図５】
2004078658.tif 000007
【図６】
2004078658.tif 000008
【図７】
2004078658.tif 000009
【図８】
2004078658.tif 000010
【図９】
2004078658.tif 000011
【図１０】
2004078658.tif 000012
【図１１】
2004078658.tif 000013
【図１２】
2004078658.tif 000014
【図１３】
2004078658.tif 000015
【図１４】
2004078658.tif 000016